(57)【要約】【課題】ユーザが欲するときにユーザが必要とする災害情報が聴取できる。【解決手段】災害情報を収集して提供する災害情報提供システム１０から提供された複数の災害情報を位置情報と共に多重化する多重化部２３と、多重化された情報をデータ放送として配信する放送送信部２５とを備える放送局２０からデータ放送の配信を受ける。多重化された情報の配信に係るデータ放送を受信端末３０で受信し、これを分離し、分離された災害情報についてその位置情報と位置情報提供部３３から提供された位置情報とに基づいて抽出を行い蓄積する。蓄積された災害情報を操作部３５からのユーザ操作に応じて表示部３６へ表示する。【選択図】図１
2008234368.tif 000002
【特許請求の範囲】
【請求項１】
災害情報を収集して提供する災害情報提供システムと、
前記災害情報提供システムから提供された複数の災害情報を位置情報と共に多重化する多重化部と、多重化された情報をデータ放送として配信する放送送信部とを備える放送局と、
前記放送局から配信されるデータ放送を受信する受信部と、選択する災害情報の位置情報を提供する位置情報提供部と、前記受信部により受信された多重化された災害情報を分離する分離部と、分離された災害情報についてその位置情報と前記位置情報提供部から提供された位置情報とに基づいて抽出を行い蓄積する抽出蓄積部と、操作部からの操作に応じて前記抽出蓄積部に蓄積された災害情報を表示部へ表示する表示制御部とを備える受信端末と
を具備することを特徴とする災害情報配信システム。
【請求項２】
受信端末には、入力された位置情報が緯度経度による位置情報以外の場合に、入力された位置情報にと緯度経度による位置情報とを対応させたデータベースから緯度経度による位置情報を取得する位置情報変換部が備えられていることを特徴とする請求項１に記載の災害情報配信システム。
【請求項３】
抽出蓄積部は、位置情報提供部の位置情報から所定の範囲内の位置情報に対応する災害情報を抽出することを特徴とする請求項１または２に記載の災害情報配信システム。
【請求項４】
災害情報を収集して提供する災害情報提供システムから提供された複数の災害情報を位置情報と共に多重化する多重化部と、多重化された情報をデータ放送として配信する放送送信部とを備える放送局から前記データ放送の配信を受ける受信端末において、
前記放送局から配信されるデータ放送を受信する受信部と、
選択する災害情報の位置情報を提供する位置情報提供部と、
前記受信部により受信された多重化された災害情報を分離する分離部と、
分離された災害情報についてその位置情報と前記位置情報提供部から提供された位置情報とに基づいて抽出を行い蓄積する抽出蓄積部と、
操作部からの操作に応じて前記抽出蓄積部に蓄積された災害情報を表示部へ表示する表示制御部とを備えることを特徴とする受信端末。
【請求項５】
入力された位置情報が緯度経度による位置情報以外の場合に、入力された位置情報にと緯度経度による位置情報とを対応させたデータベースから緯度経度による位置情報を取得する位置情報変換部が備えられていることを特徴とする請求項４に記載の受信端末。
【請求項６】
抽出蓄積部は、位置情報提供部の位置情報から所定の範囲内の位置情報に対応する災害情報を抽出することを特徴とする請求項４または５に記載の受信端末。
【発明の詳細な説明】
【技術分野】
【０００１】
この発明は、ユーザが必要とする災害情報配信を行う災害情報配信システム、及びこの災害情報配信システムに用いられる受信端末に関するものである。
【背景技術】
【０００２】
地上波ディジタル放送の開始に伴って、データ放送によって災害情報の配信を行うことが予定されている。しかしながら、データ放送は一方向性を有しており、ユーザが欲するときに必ずしもユーザが必要とする災害情報配信が行われない可能性がある。
【０００３】
一方、ユーザの設定情報に基づきコンテンツを取得するようにした携帯端末が特許文献１に記載されている。また、位置情報を用いて移動体に対して興味深いインタラクティブコンテンツを提供するようにしたシステムが特許文献２に開示されている。
【特許文献１】特開２００５−２７７８６７号公報
【特許文献２】特開２００６−２１１６０６号公報
【０００４】
しかしながら、上記の特許文献１、２の手法を用いても、ユーザが欲するときにユーザが必要とする災害情報が聴取できるようにすることはできない。
【発明の開示】
【発明が解決しようとする課題】
【０００５】
本発明は、災害情報配信システムにおける上記のような事情に鑑みてなされたもので、その目的は、ユーザが欲するときにユーザが必要とする災害情報が聴取できる災害情報配信システムを提供することである。また、この災害情報配信システムに用いられる受信端末を提供することを目的とする。
【課題を解決するための手段】
【０００６】
本発明に係る災害情報配信システムは、災害情報を収集して提供する災害情報提供システムと、前記災害情報提供システムから提供された複数の災害情報を位置情報と共に多重化する多重化部と、多重化された情報をデータ放送として配信する放送送信部とを備える放送局と、前記放送局から配信されるデータ放送を受信する受信部と、選択する災害情報の位置情報を提供する位置情報提供部と、前記受信部により受信された多重化された災害情報を分離する分離部と、分離された災害情報についてその位置情報と前記位置情報提供部から提供された位置情報とに基づいて抽出を行い蓄積する抽出蓄積部と、操作部からの操作に応じて前記抽出蓄積部に蓄積された災害情報を表示部へ表示する表示制御部とを備える受信端末とを具備することを特徴とする。
【０００７】
本発明に係る災害情報配信システムでは、受信端末には、入力された位置情報が緯度経度による位置情報以外の場合に、入力された位置情報にと緯度経度による位置情報とを対応させたデータベースから緯度経度による位置情報を取得する位置情報変換部が備えられていることを特徴とする。
【０００８】
本発明に係る災害情報配信システムでは、抽出蓄積部は、位置情報提供部の位置情報から所定の範囲内の位置情報に対応する災害情報を抽出することを特徴とする。
【０００９】
本発明に係る受信端末は、災害情報を収集して提供する災害情報提供システムから提供された複数の災害情報を位置情報と共に多重化する多重化部と、多重化された情報をデータ放送として配信する放送送信部とを備える放送局から前記データ放送の配信を受ける受信端末において、前記放送局から配信されるデータ放送を受信する受信部と、選択する災害情報の位置情報を提供する位置情報提供部と、前記受信部により受信された多重化された災害情報を分離する分離部と、分離された災害情報についてその位置情報と前記位置情報提供部から提供された位置情報とに基づいて抽出を行い蓄積する抽出蓄積部と、操作部からの操作に応じて前記抽出蓄積部に蓄積された災害情報を表示部へ表示する表示制御部とを備えることを特徴とする。
【００１０】
本発明に係る受信端末は、入力された位置情報が緯度経度による位置情報以外の場合に、入力された位置情報にと緯度経度による位置情報とを対応させたデータベースから緯度経度による位置情報を取得する位置情報変換部が備えられていることを特徴とする。
【００１１】
本発明に係る受信端末では、抽出蓄積部は、位置情報提供部の位置情報から所定の範囲内の位置情報に対応する災害情報を抽出することを特徴とする。
【発明の効果】
【００１２】
本発明に係る災害情報配信システムは、災害情報提供システムから提供された複数の災害情報を位置情報と共に多重化し、多重化された情報をデータ放送として配信して、これを受信端末で分離し、分離された災害情報についてその位置情報と位置情報提供部の位置情報とに基づいて抽出を行い蓄積するので、提供に係る位置情報と対応する位置情報の災害情報が蓄積され、これを操作部からのユーザ操作に応じて表示部へ表示して視聴させることができる。
【００１３】
本発明に係る災害情報配信システムと受信端末は、入力された位置情報が緯度経度による位置情報以外の場合に、緯度経度による位置情報へ変更でき、正確な位置情報により災害情報の抽出蓄積を行うことができる。
【００１４】
本発明に係る災害情報配信システムと受信端末では、位置情報提供部の位置情報から所定の範囲内の位置情報に対応する災害情報を抽出するので、ある程度の関係を有する災害情報の抽出蓄積を行うことができる。
【００１５】
本発明に係る受信端末では、災害情報提供システムから提供された複数の災害情報を位置情報と共に多重化し、多重化された情報の配信に係るデータ放送を受信し、これを分離し、分離された災害情報についてその位置情報と位置情報提供部から提供された位置情報とに基づいて抽出を行い蓄積するので、位置情報提供部から提供された位置情報と対応する位置情報の災害情報が蓄積され、これを操作部からのユーザ操作に応じて表示部へ表示して視聴することができ、ユーザが欲するときにユーザが必要とする災害情報が聴取できる。
【発明を実施するための最良の形態】
【００１６】
以下添付図面を参照して、本発明係る災害情報提供システム及びそれに用いられる受信端末の実施例を説明する。各図において、同一の構成要素には同一の符号を付して重複する説明を省略する。
【００１７】
図１には、本発明の実施例に係る災害情報配信システムが示されている。このシステムは、災害情報提供システム１０と、放送局２０と、受信端末３０とから構成されている。受信端末３０は複数である。
【００１８】
災害情報提供システム１０は、災害情報を収集して提供するものであり、テレビカメラ１１−１〜１１−ｎや、河川の水位、降雨量、道路の渋滞などを監視する収集部を備える。テレビカメラ１１−１〜１１−ｎから到来した映像情報は、災害情報提供システム１０を介して伝送部１３−１〜１３−ｎから伝送路４１−１〜４１−ｎ及び伝送部４３−１〜４３−ｎを介して送信する。映像情報の符号化方式などを災害情報提供システム１０において変更しても良い。
【００１９】
センサ１２−１〜１２−ｍから得られた情報は、ＬＡＮスイッチ１５を介して情報提供サーバ１６へ取り込んでいる。情報提供サーバ１６は、センサ１２−１〜１２−ｍから得られた情報の全て或いは異常を示す情報のみをルータ１７から伝送路４２及びルータ４４を介して送信する。テレビカメラ１１−１〜１１−ｎにより得られる映像情報やセンサ１２−１〜１２−ｍから得られる情報は、災害情報を構成する。
【００２０】
放送局２０には、コンテンツ作成部２１、多重化部２３、インタフェース２４及び地上波ディジタル放送の放送送信部２５が備えられている。コンテンツ作成部２１は、インタフェース２４を介して災害情報収集システムから提供された災害情報を取り込み、この災害情報に基づき複数のコンテンツを作成するものである。作成したコンテンツには位置情報（テレビカメラなどの位置情報）が付加される。位置情報は例えば経度緯度により示される。
【００２１】
コンテンツ作成部２１により作成されたコンテンツは多重化部２３にて多重化される。多重化の方式は、時分割多重や符号化分割などである。多重化部２３により多重化された災害情報は放送送信部２５から地上波ディジタル放送として受信端末３０へ配信される。ここでは、例えば１セグメントの映像情報を作成して出力するものとする。なお、この実施例では、コンテンツ作成を放送局２０で行っているが、テレビカメラ１１−１〜１１−ｎにより得られる映像情報やセンサ１２−１〜１２−ｍから得られる情報を情報提供サーバ１６に集めて、この情報提供サーバ１６において位置情報が付加されたコンテンツを作成するようにしても良い。
【００２２】
受信端末３０は、例えば携帯電話機やＰＤＡなどであり、ここでは携帯電話機である。受信端末３０には、受信部３１、分離部３２、位置情報提供部３３、通話回路部３４、操作部３５、表示部３６、抽出蓄積部３７、表示制御部３８、位置情報変換部３９とが備えられている。
【００２３】
受信部３１は、放送局２０からの放送を受信して分離部３２へ送るものである。分離部３２は、多重化部２３が多重化した方式により分離を行うものである。分離された災害情報は抽出蓄積部３７へ送られる。
【００２４】
位置情報提供部３３は、例えばＧＰＳ装置などにより構成され位置情報（緯度経度情報）を提供する。位置情報提供部３３は、位置情報として住所や郵便番号などが入力された場合に、位置情報変換部３９へこれらの情報を送り緯度経度情報へ変換させる。ネットワーク５０には位置情報データベース５１が接続されており、例えば図２に示すように、郵便番号と住所と緯度経度情報が対応付けられて記憶されている。位置情報変換部３９は、ネットワーク５０を介して位置情報データベース５１へアクセスし、入力された郵便番号や住所の位置情報を緯度経度情報へ変換して、この位置情報を位置情報提供部３３へ保持させる。
【００２５】
通話回路部３４は、送話受話を行うための回路であり、図示せぬマイクロフォンやスピーカが接続されている。操作部３５は、テンキーや各種の機能キーからなり、これを操作してコマンドやデータを入力することができる。
【００２６】
表示部３６は、ＬＣＤなどから構成され、各種の情報（映像を含む）が表示される。抽出蓄積部３７は、分離部３２により分離された災害情報についてその位置情報と位置情報提供部３３から提供された位置情報とに基づいて抽出を行い蓄積する。災害情報の位置情報が、位置情報提供部３３の位置情報から所定の範囲内の位置情報に対応する災害情報を抽出する。表示制御部３８は、操作部３５からの操作に応じて抽出蓄積部３７に蓄積された災害情報を表示部へ表示する。
【００２７】
以上の通りに構成された災害情報配信システムにおいて、災害情報提供システム１０は、災害情報を収集して放送局２０へ提供する。災害情報提供システム１０から提供された複数の災害情報からコンテンツが作成され、これが多重化部２３にて位置情報と共に多重化され、多重化された情報が放送送信部２５からデータ放送として配信される。
【００２８】
受信端末３０のＣＰＵは、図３、図４のフローチャートに示すように動作を行う。受信部３１において受信したデータ放送について分離部３２にて分離し、位置情報と対になった災害情報コンテンツが得られる（Ｓ１０）。次に、分離後の災害情報から位置情報を得て（Ｓ１１）、また位置情報提供部３３の位置情報を取得して、これらの位置情報の差を求める（Ｓ１３）。
【００２９】
ステップＳ１３に次いで、求めた差が所定範囲（例えば、数Ｋｍの範囲）であるかを検出し（Ｓ１４）、所定範囲のものがなければステップＳ１０へ戻って処理を続ける。一方、ステップＳ１４においてＹＥＳとなると、該当する災害情報を蓄積すると共に、位置情報の近い順に並べ替えを行っておく（Ｓ１５）。
【００３０】
また、受信端末３０のＣＰＵは、図４に示す通りに災害情報の表示要求が操作部３５から入力されないかを検出し（Ｓ２１）、要求があると、蓄積された災害情報を次候補の選択がある毎に蓄積順に取り出して表示部３６に表示する（Ｓ２２）。次に、終了の入力がなされたかを検出して（Ｓ２３）、終了入力により処理を終了する。
【００３１】
斯して、放送局２０が一方的に送ってくる災害情報に対して、基本的には当該受信端末の位置情報に基づき自動選択を行って表示順位を決めて蓄積するので、ユーザが災害情報を見る場合には関連のある必要な情報である可能性が極めて高く有用な情報を提供可能である。
【図面の簡単な説明】
【００３２】
【図１】本発明に係る災害情報配信システムの実施例を示すブロック図。
【図２】本発明に係る災害情報配信システムの実施例において位置情報データベースの記憶内容の一例を示す図。
【図３】本発明に係る災害情報配信システムの実施例動作を説明するためのフローチャート。
【図４】本発明に係る災害情報配信システムの実施例動作を説明するためのフローチャート。
【符号の説明】
【００３３】
１０  災害情報提供システム
１６  情報提供サーバ
２０  放送局
２１  コンテンツ作成部
２３  多重化部
２５  放送送信部
３０  受信端末
３１  受信部
３２  分離部
３３  位置情報提供部
３４  通話回路部
３５  操作部
３６  表示部
３７  抽出蓄積部
３８  位置情報変換部
５０  ネットワーク
５１  位置情報データベース
【図１】
2008234368.tif 000003
【図２】
2008234368.tif 000004
【図３】
2008234368.tif 000005
【図４】
2008234368.tif 000006